(57)【要約】【課題】操作パネルの入出力端子のそれぞれに割り当てられる入出力情報の種類がその操作パネルが搭載される複合機の機種に応じて変化するにも拘わらず、各機種に共通して利用できる操作パネル制御用の半導体集積回路を、提供する。【解決手段】操作パネル制御ＡＳＩＣ２１１は、入力用の第１乃至第４のラッチ２１１ａ〜２１１ｄの入力端子と操作パネル１０Ｘの各出力端子との間に第１の組み合わせ回路モジュール２１１Ｍを備えるとともに、出力用の第５乃至第８のラッチ２１１ｐ〜２１１ｓの出力端子と操作パネル１０Ｘの各入力端子との間に第２の組み合わせ回路モジュール２１１Ｎを備えたものとして構成しておく。第１及び第２の組み合わせ回路モジュール２１１Ｍ，２１１Ｎは、入力されるＧＮＤ電位又はＶｃｃ電位に応じて入力端子と接続端子との接続関係を変化させる。【選択図】図５
2006148531.tif 000002
【特許請求の範囲】
【請求項１】
複合機に搭載される操作パネルを制御するための制御機能を有する半導体集積回路であって、
前記操作パネルから入力される複数種類の入力情報を、それぞれ、それら入力情報を一時記憶するための複数の入力用ラッチのうちの前記複合機の機種に応じて適切な入力用ラッチに入力させるために、前記各入力用ラッチの入力端と前記操作パネルの各出力端との接続状態を、前記複合機の機種を示す機種情報に応じて変化させる第１の接続切替回路モジュール，及び、
前記操作パネルへ出力すべき複数種類の出力情報を一時記憶するための複数の出力用ラッチのそれぞれから、その操作パネルにおける前記複合機の機種に応じて適切な入力端子へ、前記各出力情報を出力するために、前記各出力用ラッチの出力端と前記操作パネルの各入力端との接続状態を、前記複合機の機種を示す機種情報に応じて変化させる第２の接続切替回路モジュール
を備えることを特徴とする半導体集積回路。
【請求項２】
前記第１の接続切替回路モジュール及び前記第２の接続切替回路モジュールは、複数の論理回路からなる組み合わせ回路として構成されている
ことを特徴とする請求項１記載の半導体集積回路。
【請求項３】
前記第１の接続切替回路モジュール及び前記第２の接続切替回路モジュールは、Ｖｃｃ電位又はＧＮＤ電位を、前記複合機の機種を示す機種情報として取得する
ことを特徴とする請求項１又は２記載の半導体集積回路。
【請求項４】
前記第１の接続切替回路モジュール及び前記第２の接続切替回路モジュールにおける機種を示す機種情報が入力される端子は、プルダウン抵抗を介してＧＮＤラインに接続されるとともに、Ｖｃｃラインに対して短絡手段にて短絡可能に構成されている
ことを特徴とする請求項３記載の半導体集積回路。
【請求項５】
前記第１の接続切替回路モジュール及び前記第２の接続切替回路モジュールにおける機種を示す機種情報が入力される端子は、プルアップ抵抗を介してＶｃｃラインに接続されるとともに、ＧＮＤラインに対して短絡手段にて短絡可能に構成されている
ことを特徴とする請求項３記載の半導体集積回路。
【請求項６】
前記第１の接続切替回路モジュール及び前記第２の接続切替回路モジュールは、何れも、内部情報が書換可能なレジスタに接続され、このレジスタから、前記複合機の機種を示す機種情報を受け取る
ことを特徴とする請求項１記載の半導体集積回路。
【発明の詳細な説明】
【技術分野】
【０００１】
本発明は、複合機の操作パネルを制御するための半導体集積回路に、関する。
【背景技術】
【０００２】
周知のように、プリント機能やスキャン機能やＦＡＸ機能などの多くの機能を一台で実現する複合機がある。通常、複合機は、それが有する各機能を操作者が利用できるようにするため、スイッチやＬＥＤ等を備えた操作パネルを搭載しており、その操作パネルは、印刷や化粧板等による意匠が外面に施されたケース内に、スイッチやＬＥＤ等を実装した操作パネル用プリント配線板を、内蔵している。
【０００３】
また、複合機の製造業者の中には、複合機について実現される機能の組み合わせや数が少しずつ異なる幾つかの機種を取り揃えているものがある。この種の製造業者は、基本的な意匠を複数の機種間で統一しつつ各機種が有する機能の違いに応じてスイッチやＬＥＤの個数や配置を変えた操作パネルを、設計製造している。
【発明の開示】
【発明が解決しようとする課題】
【０００４】
ところで、一般に、製造業者は、同一の機器について複数の機種を取り揃える場合、その製造業者全体の製造コストを下げるため、複数の機種間で共通の部品を利用できるように設計製造することがある。前述した複合機の製造業者の中には、この種の製造コスト抑制手段を、操作パネル用プリント配線板に適用するものがある。このように複数の機種間で共通の操作パネル用プリント配線板を用意しておいて各機種向けの操作パネルを製造する場合、スイッチやＬＥＤ等の個数が、各機種の有する機能の違いに応じて適宜増加又は減少されることがある。また、操作パネル用プリント配線板上の所定の取付位置の中には、各機種の有する機能の違いに応じて異なるスイッチやＬＥＤが、取り付けられるものもある（例えば、プリント配線板上の所定のＬＥＤ取付位置において、或る機種では赤色のＬＥＤが取り付けられ、それとは別の機種では青色のＬＥＤが取り付けられ、更に別の機種では、ＬＥＤが取り付けられないことがある）。
【０００５】
そして、このように複合機の機種に応じて操作パネル用プリント配線板上におけるスイッチやＬＥＤ等の個数や取付位置が変更されることにより、操作パネルの各出力端子に割り当てられる出力情報の種類や各入力端子に割り当てられる入力情報の種類が複合機の機種毎に変化することとなる（上記の例で言えば、赤色のＬＥＤに対して点灯の開始又は停止を指示する制御情報は、機種に応じて異なる入力端子へ出力せねばならなくなる）ので、操作パネルを制御するための制御機能を有する半導体集積回路は、依然として、複合機の機種毎に用意されるものとなっている。このため、各機種に共通の半導体集積回路を用意して製造コストの抑制を図るという余地が、残されていた。
【０００６】
本発明は、前述したような従来の事情に鑑みてなされたものであり、その課題は、操作パネルの入出力端子のそれぞれに割り当てられる入出力情報の種類がその操作パネルが搭載される複合機の機種に応じて変化するにも拘わらず、操作パネル制御用の半導体集積回路を各機種に共通して利用できるようにすることにある。
【課題を解決するための手段】
【０００７】
上記の課題を解決するために発明された半導体集積回路は、複合機に搭載される操作パネルを制御するための制御機能を有するものであって、前記操作パネルから入力される複数種類の入力情報を、それぞれ、それら入力情報を一時記憶するための複数の入力用ラッチのうちの前記複合機の機種に応じて適切な入力用ラッチに入力させるために、前記各入力用ラッチの入力端と前記操作パネルの各出力端との接続状態を、前記複合機の機種を示す機種情報に応じて変化させる第１の接続切替回路モジュール，及び、前記操作パネルへ出力すべき複数種類の出力情報を一時記憶するための複数の出力用ラッチのそれぞれから、その操作パネルにおける前記複合機の機種に応じて適切な入力端子へ、前記各出力情報を出力するために、前記各出力用ラッチの出力端子と前記操作パネルの各入力端子との接続状態を、前記複合機の機種を示す機種情報に応じて変化させる第２の接続切替回路モジュールを備えることを、特徴としている。
【０００８】
このように、操作パネルを制御するための制御機能を有する半導体集積回路を、各入力用ラッチの入力端と操作パネルの各出力端との間に第１の接続切替回路モジュールを備えるとともに、各出力用ラッチの出力端と操作パネルの各入力端との間に第２の接続切替回路モジュールを備えたものとして構成しておくことにより、この半導体集積回路を各機種で共通に利用することができるようになる。そして、その結果として、複合機について複数機種を取り揃える製造業者の全体の製造コストを抑制することができるようになる。
【発明の効果】
【０００９】
このように、本発明によれば、操作パネルの入出力端子のそれぞれに割り当てられる入出力情報の種類がその操作パネルが搭載される複合機の機種に応じて変化する場合であっても、操作パネル制御用の半導体集積回路を各機種に共通して利用することができるようになる。
【発明を実施するための最良の形態】
【００１０】
以下、添付図面を参照しながら、本発明を実施するための形態について説明する。
【００１１】
本発明が適用される半導体集積回路は、複合機に組み込まれるものであり、その複合機には、コピー機能とＦＡＸ機能とスキャン機能とを有するＡ機種の複合機と、コピー機能とスキャン機能とを有してＦＡＸ機能を有さないＢ機種の複合機とがある。
【００１２】
まず、Ａ機種とＢ機種の複合機の操作パネルについて説明する。
【００１３】
図１は、Ａ機種とＢ機種の複合機に搭載される操作パネル１０Ｘ（ＸはＡ又はＢ）の平面図である。このうち、図１（Ａ）は、Ａ機種の複合機の操作パネル１０Ａを示し、図１（Ｂ）は、Ｂ機種の複合機の操作パネル１０Ｂを示している。
【００１４】
図１に示されるように、操作パネル１０Ａと操作パネル１０Ｂとは、スキャン機能選択用のスイッチ（ＳＷ）及びＬＥＤの位置が異なるものとなっている。より具体的には、操作パネル１０Ｂは、操作パネル１０ＡにおいてＦＡＸ機能選択用として機能するＳＷｃ及びＬＥＤｒがある位置に、スキャン機能選択用として機能するＳＷｂ及びＬＥＤｑを備えており、然も、操作パネル１０Ａにおいてスキャン機能選択用として機能するＳＷｂ及びＬＥＤｑがある位置には、ＳＷ及びＬＥＤを備えていない。
【００１５】
なお、操作パネル１０Ｂが、そのようなＳＷ及びＬＥＤの配置を必要とするものとなっているのは、コピー機能選択用のＳＷｄ及びＬＥＤｓとスキャン機能選択用のＳＷｂ及びＬＥＤｑとが隣接しているものの方が、コピー機能選択用のＳＷｄ及びＬＥＤｓとスキャン機能選択用のＳＷｂ及びＬＥＤｑとが離れているものよりも、ユーザが操作し易く且つ意匠的に優れたものとなるためである。
【００１６】
そして、操作パネル１０Ｘは、印刷や化粧板等による意匠が外面に施されたケース内に操作パネル基板１１Ｘを、内蔵している。操作パネル基板１１Ｘは、ＬＣＤ，ＳＷ，ＬＥＤ，操作パネル接続ケーブル用コネクタ等をプリント配線板に実装してなるものである。
【００１７】
図２は、Ａ機種とＢ機種の複合機に共通して利用されるプリント配線板１１の一部の平面図である。このプリント配線板１１は、図１(Ａ)，(Ｂ)において破線枠内に示してあるＳＷ及びＬＥＤを取り付けるための部分に関し、図２に示した構成が採用されたものとなっている。
【００１８】
この図２において、ＳＷｘ（ｘは０乃至３）とともに矩形の破線で示されている各部分は、ＳＷを取り付けできるように構成された部分である。なお、この部分を、以下、ＳＷ取付部と表記する。また、その近傍にＬＥＤｘ（ｘは０乃至３）とともに円形の破線で示されている各部分は、ＬＥＤを取り付けできるように構成された部分である。なお、この部分を、以下、ＬＥＤ取付部と表記する。
【００１９】
ＳＷ取付部とＬＥＤ取付部のそれぞれからは、操作パネル接続ケーブル用コネクタ取付部ＣＮＴへ導線が引き回されており、このコネクタ取付部ＣＮＴにコネクタが実装されたときには、各ＳＷ取付部と各ＬＥＤ取付部は、そのコネクタ内の対応する入出力端子に対し、電気的に接続される。
【００２０】
図３は、操作パネル基板１１Ａ，１１ＢにおけるＳＷ及びＬＥＤを取り付けるための部分の平面図である。このうち、図３（Ａ）は、Ａ機種の複合機に搭載される操作パネル１０Ａの操作パネル基板Ａの平面図であり、図３（Ｂ）は、Ｂ機種の複合機に搭載される操作パネル１０Ｂの操作パネル基板Ｂの平面図である。
【００２１】
図３に示されるように、操作パネル基板１１Ａと操作パネル基板１１Ｂの何れにおいても、ＳＷ０とＳＷ３が表されたＳＷ取付部には、それぞれ、ＳＷａとＳＷｄが取り付けられているとともに、ＬＥＤ０とＬＥＤ３が表されたＬＥＤ取付部には、それぞれ、ＬＥＤｐとＬＥＤｓが取り付けられている。
【００２２】
その一方、操作パネル基板１１ＡにおけるＳＷ１とＳＷ２が表されたＳＷ取付部には、それぞれＳＷｂとＳＷｃが取り付けられているのに対し、操作パネル基板１１ＢにおけるＳＷ１が表されたＳＷ取付部には、なにも取り付けられておらず、ＳＷ２が表されたＳＷ取付部には、ＳＷｂが取り付けられている。
【００２３】
これと同様に、操作パネル基板１１ＡにおけるＬＥＤ１及びＬＥＤ２が表されたＬＥＤ取付部には、それぞれＬＥＤｑとＬＥＤｒが取り付けられているのに対し、操作パネル基板１１ＢにおけるＬＥＤ１が表されたＬＥＤ取付部には、なにも取り付けられておらず、ＬＥＤ２が表されたＬＥＤ取付部には、ＬＥＤｑが取り付けられている。
【００２４】
そして、操作パネル基板１１Ａは、ＳＷａ，ＳＷｂ，ＳＷｃ，及び、ＳＷｄの状態を表す状態信号として、Ｓｉｇ_ＳＷａ，Ｓｉｇ_ＳＷｂ，Ｓｉｇ_ＳＷｃ，及び、Ｓｉｇ_ＳＷｄが出力されるものとなっている。その一方、操作パネル１１Ｂは、ＳＷａ，ＳＷｂ，及び、ＳＷｄの状態を表す状態信号として、Ｓｉｇ_ＳＷａ，Ｓｉｇ_ＳＷｂ，及び、Ｓｉｇ_ＳＷｄが出力されるものとなっているものの、Ｓｉｇ＿ＳＷｂが出力される出力端子は、操作パネル基板１１ＡにおいてＳｉｇ＿ＳＷｃが出力される出力端子となっている。
【００２５】
つまり、操作パネル基板１１Ａと操作パネル基板１１Ｂとは、各出力端子とこれらに割り当てられる信号の種類との組み合わせが互いに異なるものとなっている。
【００２６】
また、操作パネル基板１１Ａは、ＬＥＤｐ，ＬＥＤｑ，ＬＥＤｒ，及び、ＬＥＤｓの制御信号として、Ｓｉｇ_ＬＥＤｐ，Ｓｉｇ_ＬＥＤｑ，Ｓｉｇ_ＬＥＤｒ，及び、Ｓｉｇ_ＬＥＤｓが入力されねばならないものとなっている。その一方、操作パネル１１Ｂは、ＬＥＤｐ，ＬＥＤｑ，及び、ＬＥＤｓに対応する制御信号として、Ｓｉｇ_ＬＥＤｐ，Ｓｉｇ_ＬＥＤｑ，及び、Ｓｉｇ_ＬＥＤｓが入力されねばならないものとなっているものの、Ｓｉｇ_ＬＥＤｑが入力される入力端子は、操作パネル基板１１ＡにおいてＳｉｇ_ＬＥＤｒが入力されるべき入力端子となっている。
【００２７】
つまり、操作パネル基板１１Ａと操作パネル基板１１Ｂとは、各入力端子とこれらに割り当てられる信号の種類との組み合わせが互いに異なるものともなっている。
【００２８】
なお、この図３において、ＳＷｂ，ＬＥＤｑ，ＳＷｃ，及び、ＬＥＤｒは、それぞれ、操作パネル１０Ａにおけるスキャン機能選択用ＳＷ，スキャン機能選択用ＬＥＤ，ＦＡＸ機能選択用ＳＷ，及び、ＦＡＸ機能選択用ＬＥＤである。
【００２９】
次に、操作パネル接続ケーブルを介して操作パネル基板１１Ｘに接続されるコントローラ基板２１Ｘについて説明する。
【００３０】
図４は、操作パネル基板１１Ｘ及びコントローラ基板２１Ｘの模式図である。操作パネル基板１１Ｘは、その操作パネルが搭載される複合機が何れの機種であっても、コントローラ基板２１Ｘに接続される。
【００３１】
コントローラ基板２１Ｘは、操作パネル制御ＡＳＩＣ２１１，ＣＰＵ２１２，操作パネル接続ケーブル用コネクタ等の部品をプリント配線板に実装してなるものである。このコントローラ用プリント配線板には、操作パネル接続ケーブル用コネクタに対して操作パネル接続ケーブルＣＢＬが接続されたときに、操作パネル用プリント配線板１１上の各ＳＷ取付部と各ＬＥＤ取付部とに電気的に接続される導線が、引き回されている。
【００３２】
操作パネル制御ＡＳＩＣ２１１は、操作パネルの制御を行う半導体集積回路であり、コントローラ用プリント配線板に実装されたときには、前述した導体によって電気的に接続される。
【００３３】
図５は、操作パネル制御ＡＳＩＣ２１１におけるＩＯインターフェースに係る部分の模式図である。操作パネル制御ＡＳＩＣ２１１は、操作パネル接続ケーブル用コネクタに対するＩＯインターフェースとして、８個のラッチを備えている。
【００３４】
８個のラッチのうち、第１乃至第４のラッチ２１１ａ〜２１１ｄは、それぞれ、Ｓｉｇ_ＳＷａ乃至Ｓｉｇ_ＳＷｄによって伝達されるＳＷの状態に係る状態情報を記録するためのものであり、コントローラ基板２１Ｘ上のＣＰＵ２１２は、これらラッチ２１１ａ〜２１１ｄに記録されたＳＷの状態を定期的に読み取ることによって、ＳＷａ〜ＳＷｄの何れかが押下されたことを、確認する。
【００３５】
そして、第１乃至第４のラッチ２１１ａ〜２１１ｄのうち、第１及び第４のラッチ２１１ａ，２１１ｄは、操作パネル用プリント配線板１１におけるＳＷ０及びＳＷ３が表されているＳＷ取付部と直接接続される。その一方、第２及び第３のラッチ２１１ｂ，２１１ｃは、第１の組み合わせ回路モジュール２１１Ｍを介して、操作パネル用プリント配線板１１におけるＳＷ１及びＳＷ２が表されているＳＷ取付部に接続される。
【００３６】
第１の組み合わせ回路モジュール２１１Ｍは、複数の論理回路からなり、後述するＳｉｇ＿ＳＥＴがＧＮＤ電位であるときには、第２のラッチ２１１ｂを、ＳＷ１が表されたＳＷ取付部に接続するとともに、第３のラッチ２１１ｃを、ＳＷ２が表されたＳＷ取付部に接続する。一方、Ｓｉｇ＿ＳＥＴがＶｃｃ電位であるときには、第２のラッチ２１１ｂを、ＳＷ２が表されたＳＷ取付部に接続するとともに、第３のラッチ２１１ｃを、ＳＷ１が表されたＳＷ取付部に接続する。つまり、第１の組み合わせ回路モジュール２１１Ｍは、Ｓｉｇ＿ＳＥＴがＧＮＤ電位であるときとＶｃｃ電位であるときとで、ＳＷ１とＳＷ２とが表されたＳＷ取付部に接続されるラッチを、入れ替える。
【００３７】
また、第５乃至第８のラッチ２１１ｐ〜２１１ｓは、Ｓｉｇ_ＬＥＤｐ乃至Ｓｉｇ_ＬＥＤｓによって伝達すべきＬＥＤの点灯制御に係る情報を記録するためのものであり、コントローラ基板２１Ｘ上のＣＰＵ２１２は、ＬＥＤに対して点灯の開始又は停止の指示を出力する際に、これらラッチ２１１ｐ〜２１１ｓにそれを指示する制御情報を書き込む。
【００３８】
そして、第５乃至第８のラッチ２１１ｐ〜２１１ｓのうち、第５及び第８のラッチ２１１ｐ，２１１ｓは、操作パネル用プリント配線板１１におけるＬＥＤ０及びＬＥＤ３が表されているＬＥＤ取付部と直接接続される。その一方、第６及び第７のラッチ２１１ｑ，２１１ｒは、第２の組み合わせ回路モジュール２１１Ｎを介して、操作パネル用プリント配線板１１におけるＬＥＤ１及びＬＥＤ２が表されているＬＥＤ取付部に接続される。
【００３９】
第２の組み合わせ回路モジュール２１１Ｎも、複数の論理回路からなり、後述のＳｉｇ＿ＳＥＴがＧＮＤ電位であるときには、第６のラッチ２１１ｑを、ＬＥＤ１が表されたＬＥＤ取付部に接続するとともに、第７のラッチ２１１ｒを、ＬＥＤ２が表されたＬＥＤ取付部に接続する。一方、Ｓｉｇ＿ＳＥＴがＶｃｃ電位であるときには、第６のラッチ２１１ｑを、ＬＥＤ２が表されたＬＥＤ取付部に接続するとともに、第７のラッチ２１１ｒを、ＬＥＤ１が表されたＬＥＤ取付部に接続する。つまり、第２の組み合わせ回路モジュール２１１Ｎは、Ｓｉｇ＿ＳＥＴがＧＮＤ電位であるときとＶｃｃ電位であるときとで、ＬＥＤ１とＬＥＤ２とが表されたＬＥＤ取付部に接続されるラッチを、入れ替える。
【００４０】
このように構成される操作パネル制御ＡＳＩＣ２１１は、ＦＡＸ関連の制御を行うためのプログラムモジュールを有するＡ機種の複合機向けのコントローラ基板２１Ａを製造する場合でも、ＦＡＸ関連の制御を行うためのプログラムモジュールを有さないＢ機種の複合機向けのコントローラ基板２１Ｂを製造する場合でも、同じものが利用される。
【００４１】
但し、操作パネル制御ＡＳＩＣ２１１がコントローラ用プリント配線板に実装される際、操作パネル制御ＡＳＩＣ２１１におけるＳｉｇ＿ＳＥＴを入力するための入力端子には、ＧＮＤ電位かＶｃｃ電位が与えられる。すなわち、操作パネル制御ＡＳＩＣ２１１のこの入力端子は、プルダウン抵抗を介してＧＮＤラインに接続されるとともに、Ｖｃｃラインに対してジャンパピン等の短絡手段にて短絡可能に構成されている。そして、このＡＳＩＣ２１１が実装されたプリント配線基板をＡ機種向けのコントローラ基板２１Ａとして製造する際には、その短絡手段を用いずにその入力端子をＧＮＤ電位にさせ、Ｂ機種向けのコントローラ基板２１Ｂとして製造する際には、その短絡手段を用いてその入力端子をＶｃｃ電位にさせる。
【００４２】
このため、Ａ機種の複合機向けの操作パネル基板１１Ａを、Ａ機種の複合機向けのコントローラ基板２１Ａに、操作パネル接続ケーブルにて接続した場合であっても、Ｂ機種の複合機向けの操作パネル基板１１Ｂを、Ｂ機種の複合機向けのコントローラ基板２１Ｂに、操作パネル接続ケーブルにて接続した場合であっても、第２のラッチ２１１ｂには、ＳＷｂの状態を示す情報が記録されるようになるとともに、第６のラッチ２１１ｑには、ＬＥＤｑの点灯の開始又は停止を指示する制御情報が記録されるようになる。
【００４３】
従って、コントローラ基板２１Ａにおける操作パネル制御ＡＳＩＣ２１１以外のハードウエア部品及びソフトウエア部品は、それを搭載する複合機の機種の相違に拘わらず、各機種に共通して利用することができるとともに、操作パネル制御ＡＳＩＣ２１１そのものも、機種の相違に拘わらず、各機種に共通して利用することができる。その結果として、複合機について複数機種を取り揃える製造業者の全体の製造コストを抑制することができることとなる。
【００４４】
ところで、以上に説明した本実施形態においては、操作パネル制御ＡＳＩＣ２１１におけるＳｉｇ＿ＳＥＴが入力される入力端子は、プルダウン抵抗を介してＧＮＤラインに接続されているものとして説明したが、これに限定されるものではない。例えば、この入力端子は、プルアップ抵抗を介してＶｃｃラインに接続されるとともにＧＮＤラインに対して短絡手段にて短絡可能に構成されたものであっても良い。或いは、この入力端子は、内部に記録されている情報が書換可能なレジスタに接続され、その情報に基づいてこのレジスタから出力される信号によってＧＮＤ電位又はＶｃｃの電位が与えられるものであっても良い。
【００４５】
なお、ＧＮＤ電位又はＶｃｃ電位は、コントローラ基板２１ＸのＧＮＤラインやＶｃｃラインに接続されることによって入力端子に与えられるものであっても良いが、操作パネル基板１１ＸのＧＮＤラインやＶｃｃラインに接続されることによって入力端子に与えられるものであっても良い。後者の場合には、この入力端子と操作パネル基板１１Ｘとを電気的に接続するための信号線が、操作パネル接続ケーブルに用意される必要がある。
【図面の簡単な説明】
【００４６】
【図１】本発明が適用されるＡ，Ｂ機種の複合機に搭載される操作パネルの平面図
【図２】操作パネル基板を構成するプリント配線板の一部の平面図
【図３】Ａ，Ｂ機種の操作パネル基板におけるＳＷとＬＥＤの取り付け部分の平面図
【図４】操作パネル基板とコントローラ基板の模式図
【図５】操作パネル制御ＡＳＩＣにおけるＩＯインターフェースに係る部分の模式図
【符号の説明】
【００４７】
１０            操作パネル
１０Ａ，１０Ｂ  操作パネル
１１            プリント配線板
１１Ａ，１１Ｂ  操作パネル基板
２１Ａ，２１Ｂ  コントローラ基板
２１１          操作パネル制御ＡＳＩＣ
２１１Ｍ        第１の組み合わせ回路
２１１Ｎ        第２の組み合わせ回路
【図１】
2006148531.tif 000003
【図２】
2006148531.tif 000004
【図３】
2006148531.tif 000005
【図４】
2006148531.tif 000006
【図５】
2006148531.tif 000007